(57)【要約】【課題】前面パネルの取り付け・取り外しの交換作業を簡単に行なうことができるようにした制御盤を提供すること。【解決手段】制御盤２０は、制御盤筐体２１内に設けられる制御盤装置２７と、制御盤筐体２１内に前方部に設けられる額縁状の制御盤本体枠組立２５と、この制御盤本体枠組立２５に支持されるパネル組立２６とを具備し、上記パネル組立２６は、平板状の前面パネル３０と、この前面パネル３０を着脱自在に支持するパネル支持体３１とを備える。【選択図】  図４
2005204486.tif 000002
【特許請求の範囲】
【請求項１】
制御盤筐体内に設けられる制御盤装置と、
制御盤筐体内の前方部に設けられる額縁状の制御盤本体枠組立と、
この制御盤本体枠組立に支持されるパネル組立とを具備し、
上記パネル組立は、平板状の前面パネルと、この前面パネルを着脱自在に支持するパネル支持体とを備えたことを特徴とする制御盤。
【請求項２】
上記額縁状の制御盤本体枠組立は、上記パネル組立のパネル支持体を回動自在に支持する支持手段を備えたことを特徴とする請求項１記載の制御盤。
【請求項３】
前面パネルには、その裏面側に前面パネルの前方より目視および操作可能に設けられる表示・操作装置と、上記制御盤装置側から表示・操作装置側へ接続されるリード線とを備えたことを特徴とする請求項１記載の制御盤。
【請求項４】
上記リード線には、その接続端を一まとめにした接続端子を備えたことを特徴とする請求項３記載の制御盤。
【請求項５】
上記パネル組立のパネル支持体に、上記リード線を収納する配線ダクトを備えたことを特徴とする請求項３記載の制御盤。
【請求項６】
制御盤筐体内に設けられる制御盤装置と、
上記制御盤筐体内の前方部に設けられる額縁状の制御盤本体枠組立と、
この制御盤本体枠組立に支持されるパネル組立と、
上記制御盤装置とパネル組立との間に配線接続されるリード線とを具備し、
上記パネル組立は、平板状の前面パネルと、この前面パネルを着脱自在に支持するパネル支持体と、このパネル支持体側に支持固定される表示・操作装置とを備え、
上記前面パネル側には、上記表示・操作装置を目視および操作可能なように透視窓を備えたことを特徴とする制御盤。
【発明の詳細な説明】
【技術分野】
【０００１】
本発明は、浄水場等での水量制御やそのためのポンプ制御等の制御および監視を行なう制御盤にかかり、特に制御機器および監視機器等の機器類を収納し、且つこれらの機器類を操作制御する制御盤の改良に関する。
【背景技術】
【０００２】
従来この種の制御盤として、制御盤筐体の前方位置に取り外しが可能で、また、制御盤本体側から開閉可能な前面パネルが設けられているものがある。この前面パネルには、計器類を前方から監視することができる一方、操作スイッチを操作することができるように設けられている。
【０００３】
また、制御盤の定期点検や補修を行なう際、前面パネルを開閉して内部の機能チェックや部品交換を実施したり、更には、前面パネル自体の交換や補修をすることができるようになっている。この種の制御盤として、特開平８−２７５３１２号公報（例えば、特許文献１参照）に開示されたものがある。
【０００４】
特許文献１に開示された制御盤１は、添付図面の図７に示すように、制御盤筐体内に各種の機器類を収納設置した制御盤本体２と、この制御盤本体２の前方に開閉自在に装着される前面パネル３と、この制御盤本体２と前面パネル３との間の上方側から覆うように配置される上面カバー４と、この制御盤本体２と前面パネル組立体３との間の両側を覆うように配置される一対の側面カバー５とより構成されている。
【０００５】
制御盤本体２は、平板状の枠組立基板６と、この枠組立基板６の一面側に複数の電気部品７を設置して構成した制御盤装置組立８と、この枠組立基板６の四隅に平板面から起立して設けられ、左右に上下一対づつの枠柱８ａ，８ｂとより構成されている。電気部品群７は、電源遮断器，電磁開閉器，接点リレー等の開閉器類と、これらを接続するリード線（図示せず）が設けられる。また、リード線を収納する配線ダクト９が設けられている。
【０００６】
一方、前面パネル３には、その正面側に露出して電流計や電圧計の計器３ａ，表示器３ｂおよび操作スイッチ３ｃが設けられている。また、この前面パネル３の周縁には額縁状に折曲部３ｅが形成されている。この折曲部３ａの正面右側には上下一対の軸穴３ｄが形成される。この軸穴３ｄには、前面パネル３が回動自在に軸支されるように、ヒンジ装置１０が取り付けられる。すなわち、制御盤本体枠組立２側には、この制御盤本体枠組立２の一対の枠柱８ｂのネジ穴８ｂ１と、前面パネル３側の端部に形成した上下一対の軸穴３ｄとを同軸に位置させ、この同軸にヒンジ装置１０のヒンジピン１０ａを装着している。
【特許文献１】特開平８−２７５３１２号公報（第４頁左欄第２４〜４６行および図３）
【発明の開示】
【発明が解決しようとする課題】
【０００７】
従来の制御盤１によれば、前面パネル３の交換や補修、部品交換に際して、計器類や操作スイッチ類の交換や増設するに際して、前面パネル３の取り付け・取り外し作業を行なう必要がある。
【０００８】
前面パネル３を取り外す場合には、先ずヒンジ装置１０のヒンジピン１０ａを制御盤本体枠組立２から取り外す。次に制御盤装置組立８正面の両側部に設けた配線ダクト９を通して前面パネル３側へ接続されるリード線を、前面パネル３側の計器３ａ，表示器３ｂおよび操作スイッチ３ｃ等の電気部品に接続されるリード線の取り外し作業を行なう。そして前面パネル３の交換乃至は補修後の再装着を行なう場合には、上記のリード線の取り外し作業およびヒンジ装置１０の解体等前面パネル３の取り付け・取り外し作業の逆の作業を行なうことにより付け替え作業を完了可能にしている。
【０００９】
しかしながら、前面パネル３の交換乃至は補修にあたって、ヒンジ装置１０の取り外しおよび取り付け作業が厄介である一方、一旦切断されたリード線の再接続による電気系統の再チェックや再調整が必要となる等その作業が甚だ不便であった。
【００１０】
本発明は、以上の点を考慮してなされたもので、前面パネルの取り付け・取り外しの交換作業等の作業が簡単に行なうことができるようにして、取り扱い至便な制御盤を提供することを目的とする。
【課題を解決するための手段】
【００１１】
上記目的を達成するために、本発明によれば、制御盤筐体内に設けられる制御盤装置と、制御盤筐体内の前方部に設けられる額縁状の制御盤本体枠組立と、この制御盤本体枠組立に支持されるパネル組立とを具備し、上記パネル組立は、平板状の前面パネルと、この前面パネルを着脱自在に支持するパネル支持体とを備えたことを特徴とする制御盤を提供する。
【００１２】
上記目的を達成するために、本発明によれば、制御盤筐体内に設けられる制御盤装置と、制御盤筐体内の前方部に設けられる額縁状の制御盤本体枠組立と、この制御盤本体枠組立に支持されるパネル組立と、上記制御盤装置とパネル組立との間に配線接続されるリード線とを具備し、上記パネル組立は、平板状の前面パネルと、この前面パネルを着脱自在に支持するパネル支持体と、このパネル支持体側に支持固定される表示・操作装置とを備え、上記前面パネル側には、上記表示・操作装置を目視および操作可能なように透視窓を備えたことを特徴とする制御盤を提供する。
【発明の効果】
【００１３】
前面パネルの取り付け・取り外し作業を簡単に行なうことができるので、前面パネルの交換作業等の作業が短時間且つ確実に行なうことができる制御盤を提供することができる。
【発明を実施するための最良の形態】
【００１４】
本発明にかかる制御盤の実施形態について、添付図面を参照して説明する。
【００１５】
図１は、本発明を実施する制御盤２０の概要を示す図である。
【００１６】
制御盤２０は、制御機器類を内蔵する制御盤筐体２１と、この制御盤筐体２１の前方に開閉自在に設けられる扉２２とより構成される。制御盤本体２１は、制御盤筐体２３と、この制御盤筐体２３内部に制御機器類を配設する制御盤本体枠組立２５と、この制御盤本体枠組立２５に支持固定されるパネル組立２６と、このパネル組立２６側と配線接続され、例えばモータ、ポンプ類の被制御装置を制御する制御機能を備えた制御盤装置２７とから構成される。
【００１７】
パネル組立２６は、制御盤本体枠組立２５側に対して一側がヒンジ手段２３に軸支されて回動自在に設けられている。制御盤本体枠組立２５は、図３および図４（ａ）に示すように、左右に所定間隔をとって対向配置した一対の断面Ｌ字状の縦枠２５ａと、上下に所定間隔をとって対向配置した一対の断面Ｌ字状の横枠２５ｂとから構成される。各対をなす縦枠２５ａおよび横枠２５ｂは、それぞれの交差する４隅部にて４本の固定ネジ２９ａにより互いに結合され、額縁状に組立てられる。制御盤本体枠組立２５の相対向する横枠２５ｂには、パネル組立２６がヒンジ手段２４を介して片開き可能に設けられる。
【００１８】
パネル組立２６は、図３および図４に示すように、制御盤本体枠組立２５の額縁状開口内に収納され、平板状の前面パネル３０と、この前面パネル３０を後部にて着脱自在に支持するパネル支持体３１とから構成される。パネル支持体３１は矩形状に形成され、例えば図４（ａ）および（ｂ）に示すように、その断面がコ字状に形成され、パネル組立２６を支持するに足る機械的強度を保持させている。矩形状をなすパネル支持体３１には、この上下一対の横桟部３１ｄからパネル支持ヒンジ軸３１ａを上下方向に突出して設けている。上下対をなすパネル支持ヒンジ軸３１ａは共通の軸線を有するように形成される。また、制御盤本体枠組立２５には、パネル支持体３１のパネル支持ヒンジ軸３１ａを受容するように、上下対をなす横枠２５ｂにパネル支持ヒンジ用穴２５ｂ１を設けている。
【００１９】
前面パネル３０は、矩形状をなす平板状のもので、平面部３０ａおよびこの平面部３０ａの周囲を内方へＬ字形に折り曲げ形成された折曲部３０ｂを備えている。また、前面パネル３０の平面部３０ａの前面側には、表示・操作装置３２が装着される。この表示・操作装置３２は、例えば電流計，電圧計等の計器３２ａ、アラーム表示装置３２ｂおよび操作スイッチ３２ｃとから構成される。更に、前面パネル３０の平面部３０ａの４隅には、表示・操作装置３２を装着した前面パネル３０をパネル支持体３１側にネジ止め固定させるために、パネル固定用ネジ通し穴３０ｃを穿っている。
【００２０】
前面パネル３０は、パネル固定用ネジ通し穴３０ｃを、パネル支持体３１の４隅部に設けたパネル固定用ネジ穴３１ｂと位置合わせして固定ネジ２９ｂにて一体的に固定される。
【００２１】
パネル支持体３１の左右一対の縦桟部３１ｃの開放面側には、リード線３３を整線して収納する配線ダクト３４が設けられる。この配線ダクト３４は、所望の固定手段、例えば図４（ｂ）示すように、固定ネジ２９ｃにより固定している。この配線ダクト３４は、一方を開口するダクト本体３４ａと、このダクト本体３４ａの開口をリード線３３の収納後に外側から塞ぐダクトカバー３４ｂを備えている。
【００２２】
制御盤装置２７は、制御盤本体枠組立２５の表示・操作装置３２側と複数のリード線３３を介して接続される。リード線３３の制御盤本体枠組立２５側との接続部は、この複数のリード線３３の端部を一まとめにした接続端子３３ａを設けている。この接続端子３３ａは、前面パネル３０の表示・操作装置３２側の図示しないソケット側に着脱自在に設けている。また、この制御盤装置２７は、複数のリード線３３に接続され、図示しないモータやポンプの回転数制御等の制御を行なう機器制御装置が内蔵されている。扉２２は、ハンドル２２ａおよび透視窓２２ｂを備え、制御盤本体２１の前方に開閉自在に設けられる。
【００２３】
次に、制御盤２０の作用について図１を参照して説明する。
【００２４】
通常使用時においては、扉２２の透視窓２２ｂからパネル組立２６の前面パネル３０の表示・操作装置３２を目視により監視する。また、所望の制御を行なう時には、ハンドル２２ａを操作して開扉し、表示・操作装置３２を操作する。
【００２５】
また、パネル組立２６の前面パネル３０を交換する際の、取り扱い手順について説明する。
【００２６】
扉２２を図１に示す状態からハンドル２２ａの操作により制御盤本体２１側から開放する。すると、制御盤本体２１の前方には、図３に示すようにパネル組立２６の前面パネル３０の前面が現れる。次に、パネル組立２６を、図３に示す状態からパネル支持ヒンジ軸３１ａを中心にして左開きに開放する。そして、この開放した前面パネル３０の裏面側から表示・操作装置３２に接続される複数のリード線３３の接続端子３３ａを表示・操作装置３２側のソケット側から離脱させる。更に、前面パネル３０の前面の左右上下４隅の固定ネジ２９ｂを取り外す。接続端子３３ａおよび４本の固定ネジ２９ｂを取り外すことにより、前面パネル３０がパネル支持体３１側から分離される。この段階において、新しい前面パネルの交換、または前面パネル３０の修理後の交換が可能な状態となる。
【００２７】
次に、図示しない新しい前面パネルまたは修理後の前面パネルを装着する。
【００２８】
この新しい前面パネルまたは修理後の前面パネルの交換は、交換する前面パネル３０を取り外した手順と逆の手順により行なう。このように、前面パネル３０の交換等の作業を行なう作業者は、前面パネル３０側の表示・操作装置３２側から接続端子３３ａを取り外す作業と、前面パネル３０をパネル支持体３１側から取り外す作業のみにより、前面パネル３０を制御盤筐体２１側から取り外すことができる。また、新しい前面パネルまたは修理後の前面パネルを取り付けるにあたっては、上記取り外し作業の逆の作業をすることのみにより、行なうことができる。従って、前面パネル３０の交換にあたっては、その作業が短時間且つ確実に行なうことができる。
【００２９】
更に、リード線３３の取り付け、取り外し作業にあたって、リード線３３の接続端子３３ａの着脱作業により行なうようにしたので、その作業が簡単且つ確実であることと相俟って、誤配線や断線等の虞もなく、熟練した作業者によることなくその作業を行なうことができる。
【００３０】
なお、本発明は、上述した実施形態の構成に限定されるものではなく、パネル組立２６は、制御盤本体枠組立２５の横枠２５ｂに、パネル組立２６側のパネル支持ヒンジ軸３１ａを回動自在に支持させた構成としたが、制御盤本体枠組立２５の例えば縦枠２５ａ側に図示しない蝶番等の支持装置を設けて、パネル組立２６を回動自在に支持する構成にしてもよい。
【００３１】
また、パネル組立２６の前面パネル３０を着脱自在に支持するパネル支持体３１は、額縁状のものを用いたが、単なる平板状のパネル支持体であってもよく、更には、例えば図５に示すパネル支持体３１の両側の縦桟部３１ｃ間に想像線で示す幅広の横桟部３１ｅを設けたパネル支持体であってもよい。すなわち、パネル組立２６側に取り付けられる表示・操作装置３２をパネル支持体３１側に取り付けるために、このパネル支持体の形状を平板状にするか、または図５に示すように幅広の横桟部３１ｅを設けた構成である。
【００３２】
更に、このパネル支持体を採用した場合には、前面パネル３０に取り付けた表示・操作装置３２をこのパネル支持体３１側に取り付けた構成とする一方、前面パネル３０側には、表示・操作装置３２が制御盤２０の正面側から目視および操作可能に透視窓（図示せず）のみを設けた構成とすることもできる。
【００３３】
更にまた、前面パネル３０に透視窓を設けた構成を採用した場合には、取扱者をして前面パネル３０の取り外し作業を行なう際には、この前面パネル３０の４本の固定ネジ２９ｂを取り付け、取り外すのみで作業を完了させることができ、その作業時間の短縮と相俟って作業性を格段に向上させることができる。
【００３４】
また、パネル組立２６をパネル支持体３１の正面左側の上下部に設けた一対のパネル支持ヒンジ軸３１ａにより左開きの構成にしたが、このパネル支持ヒンジ軸３１ａの取り付け位置をパネル支持体３１の反対位置に設け、右開きの構成にすることもできる。この左開き、または右開きを採用するにあたっては、制御盤装置２７側から接続するリード線３３の配線具合等を考慮して選択する。
【００３５】
更に、パネル支持体３１は、必ずしも制御盤本体枠組立２５側に軸支させることなく、単に着脱可能に支持させた構成であってもよい。このように、パネル支持体３１を制御盤本体枠組立２５側に単に着脱可能に支持させた構成を採用する場合には、ヒンジ軸や蝶番のようなパネル組立２６の支持手段が不要となる一方、リード線の誤配線や誤接続の虞を解消させることができることと相俟って、前面パネル３０の取り付け、取り外しの作業性を格段に向上させることができる。
【００３６】
更には、配線ダクト３４には、ダクトカバー３４ｂは必ずしも必要でないことは勿論である。
【図面の簡単な説明】
【００３７】
【図１】本発明の制御盤の正面図。
【図２】本発明の制御盤の側面図。
【図３】図１および図２に示す制御盤本体枠組立とパネル組立の組み合わせ構成を示す正面図。
【図４】図３のＡ−Ａ線に沿う拡大断面図で、（ａ）は、その要部を示す図、（ｂ）は、（ａ）のＢ部拡大図である。
【図５】図４（ａ），（ｂ）に示すパネル支持体の正面図。
【図６】図３および図４に示す前面パネルの斜視図。
【図７】従来の制御盤の構造を示す斜視図。
【符号の説明】
【００３８】
２０  制御盤
２１  制御盤本体
２２  扉
２２ａ  ハンドル
２２ｂ  透視窓
２３  制御盤筐体
２４  ヒンジ手段
２５  制御盤本体枠組立
２５ａ  縦枠
２５ｂ  横枠
２５ｂ１  パネル支持ヒンジ用穴
２６  パネル組立
２７  制御盤装置
２９ａ，２９ｂ，２９ｃ  固定ネジ
３０  前面パネル
３０ａ  平面部
３０ｂ  折曲部
３０ｃ  パネル固定用ネジ通し穴
３１  パネル支持体
３１ａ  パネル支持ヒンジ軸
３１ｂ  パネル固定用ネジ穴
３１ｃ  縦桟部
３１ｄ，３１ｅ  横桟部
３２  表示・操作装置
３２ａ  計器
３２ｂ  アラーム表示装置
３２ｃ  操作スイッチ
３３  リード線
３３ａ  接続端子
３４  配線ダクト
３４ａ  ダクト本体
３４ｂ  ダクトカバー
【図１】
2005204486.tif 000003
【図２】
2005204486.tif 000004
【図３】
2005204486.tif 000005
【図４】
2005204486.tif 000006
【図５】
2005204486.tif 000007
【図６】
2005204486.tif 000008
【図７】
2005204486.tif 000009